(57)【要約】【課題】  貫流式蒸気ボイラで得られる蒸気を利用して、食品加工やスチームサウナ浴に利用し得る人体に無害な良質の蒸気を発生させる装置を提供することを課題とする。【解決手段】  清浄な水を導入する給水口（６）と、発生した清浄な蒸気を取り出す良質蒸気出口管（３）とを有する圧力容器（２）内に、外部の蒸気ボイラから導入した蒸気の熱を圧力容器内の水へ熱交換させることにより当該圧力容器内の水を蒸発させる熱交換器（９）を設けて成る蒸気発生装置（１）において、上記熱交換器（９）内で熱を奪われた蒸気により生じる凝縮水を取り出し、これをスチームトラップ（１０）により気水分離した後、当該凝縮水を上記圧力容器（２）内へ供給するよう構成したこと、を特徴とする蒸気発生装置（１）により、上記課題を解決する。【選択図】図１
2007046818.tif 000002
【特許請求の範囲】
【請求項１】
清浄な水を導入する給水口（６）と、発生した清浄な蒸気を取り出す良質蒸気出口管（３）とを有する圧力容器（２）内に、外部の蒸気ボイラから導入した蒸気の熱を圧力容器内の水へ熱交換させることにより当該圧力容器内の水を蒸発させる熱交換器（９）を設けて成る蒸気発生装置（１）において、
上記熱交換器（９）内で熱を奪われた蒸気により生じる凝縮水を取り出し、これをスチームトラップ（１０）により気水分離した後、当該凝縮水を上記圧力容器（２）内へ供給するよう構成したこと、を特徴とする蒸気発生装置（１）。
【請求項２】
上記圧力容器（２）内の水位を自動的に検出する水位検出装置（１３）と、
当該水位検出装置（１３）の出力信号に基づき、上記圧力容器（２）に設けた給水電動弁（１４）及び排水電動弁（１５）の少なくとも一方の開閉動作を制御して、圧力容器（２）内の水位を自動調整する制御装置（１６）と、
を設けたことを特徴とする請求項１に記載の蒸気発生装置（１）。
【請求項３】
上記圧力容器（２）の良質蒸気出口管（３）から取り出した清浄な蒸気を通過させる香草収容ポット（１７）を設け、当該香草収容ポット内を通過して得られた芳香蒸気をサウナ浴室内へ放出するよう構成したこと、を特徴とするスチームサウナ浴装置のための請求項１又は２に記載の蒸気発生装置（１）。
【発明の詳細な説明】
【技術分野】
【０００１】
本発明は、蒸気発生装置に関し、特に、近来広く用いられている貫流式蒸気ボイラにより得られた蒸気を、人間が吸引したり食品加工のために用いたりしても、充分安全な良質の蒸気に変換するための比較的安価で効率の良い蒸気発生装置に関する。
【背景技術】
【０００２】
近来、各種蒸気ボイラの内、例えば下記特許文献１に示されるような貫流式蒸気ボイラは、構造が簡便で、保有水量が少ないので、負荷変動にも対応しやすく、装置がより小型化出来、製造コストも低い等の理由から最も多く用いられている。
即ち、発電用の大型蒸気ボイラから、ごく小型の簡易な蒸気ボイラまで、貫流式蒸気ボイラが他の機種に比べて圧倒的に多数用いられている。
【０００３】
しかしながらこの貫流式蒸気ボイラから発生する蒸気には人体に有害な物質が含まれ、これを人間が吸引したり、この蒸気の付着した食物を摂取したりすると人体に有害であると言う問題があった。
即ち、貫流式ボイラは、ごく細い水管より蒸気が蒸発する為、ごく狭い蒸発面から急激に多量の蒸気が発生するとプライミングやホーミング等の現象が起き、缶水の一部が蒸気と共に排出されるが、この缶水中には、ボイラ内部を清浄に保つ為の清缶剤と言われる化学薬品が含まれており、この化学薬品の多くは人体に有害なためである。
従って、微量ではあっても、人体に悪影響をもたらすそのような有害物質が混入した蒸気を人間が吸引したり、食物と共に摂取したりすることは極力避けなければならない。
そのため、人体に吸引されるサウナ浴用の蒸気や、食品加工用の蒸気としては、貫流式蒸気ボイラから発生する蒸気が用いられることは少ない。貫流式蒸気ボイラで得られる蒸気の大部分は、各種装置の熱源又は圧力源として多々有用に利用されている。それは、貫流式蒸気ボイラは、小型で熱効率が高く、より安価で、安全性にも優れる等、数々の優れた特徴を有しているからである。
【０００４】
他方、旧来のスリーパスボイラの様な大型で広い蒸発面積を持ち、単位蒸発面当たりの蒸発量が充分低く、且つ保有水量の多い蒸気ボイラであれば、より良質な蒸気が得られることは広く知られている。
しかしながら、これらの充分広い蒸発面を持つ蒸気ボイラは、より大型でより広い設置面積を必要とし、製品の設置コストが高いという問題がある。
従って、人体に無害な良質の蒸気を発生させるため、貫流式蒸気ボイラを用いることなく、より広い蒸発面積を持つ他の型式の蒸気ボイラを設置する場合には、設備費等のイニシャルコストが高くなり、また、熱効率の点からランニングコストも高くなる可能性がある。
【０００５】
また、韓国及び日本国内では、ボイラからの蒸気を間接的に利用して、スチームサウナのための蒸気を得るための蒸気発生装置が従来から用いられている。
この装置は、貫流ボイラ等の蒸気ボイラからの蒸気を熱源とし、水を間接加熱し、広い蒸発面より二次的に発生する良質の蒸気でスチームサウナ室を加湿し加熱する方式で、二次的に発生する良質の蒸気を香草の中を通過させるようにしたハーブスチームサウナが提案され、一部実用化されている。
しかしながら、このスチームサウナ用蒸気発生装置には、二つの問題点があった。
その一つは、ボイラ蒸気で加熱される水の補給にボールタップを用いている為、ボールタップの弁部分にゴミが付着したり傷ついたりして、しばしば水漏れを生じると言う問題である。
もう一つは、水道水等を軟水化装置を用いることなくそのまま用いると、多量の不純物が熱交換器に付着し、熱交換を阻害する場合が多いと言う問題である。これは、給水する水が硬水で、カルシウム等の不純物が溶解している場合に、その水が濃縮されると、溶解しているこれらの不純物が装置内に析出するためである。
【０００６】
【特許文献１】特開２００４−２５１４８７号公報
【発明の開示】
【発明が解決しようとする課題】
【０００７】
本発明は、上記各種の問題を解決することを課題とするものである。
本発明は、貫流式蒸気ボイラから発生する蒸気のうち、人体に吸引されたり、食品と共に摂取されたりする可能性のある分野での蒸気の利用は、そのごく一部のみであると言う点に着目し、貫流式蒸気ボイラから発生する蒸気の一部を熱源とし、簡便で安価で、且つ、人体に悪影響を及ぼすことのない良質な蒸気を発生させ得る蒸気発生装置を開発せんとするものである。
即ち、本発明は、貫流式蒸気ボイラを用いて得られる蒸気の大部分を、各種装置にそのまま供給し、残りの一部の蒸気を、良質の蒸気に変換して、食用や飲用に供せられる可能性のあるごく一部の装置に供給するため、貫流式蒸気ボイラからの蒸気を熱源とし、より広い蒸発面から良質の蒸気を発生させる、構造が簡単で、より安価な良質蒸気発生装置を開発せんとするものである。
この様な装置が提供されれば、小型で、安価で、高効率な貫流式蒸気ボイラを用いて、その蒸気で直接稼働可能な装置には、貫流式蒸気ボイラの蒸気を直接送り、ごく一部の人体に無害な良質の蒸気が必要とされる装置のみに、貫流式蒸気ボイラから本発明装置を介して良質の蒸気を供給するようにすれば、全体としてイニシャルコストもランニングコストも安い蒸気利用設備が得られるものである。
【課題を解決するための手段】
【０００８】
上記課題を解決するため、本発明に係る蒸気発生装置は、
清浄な水を導入する給水口と、発生した清浄な蒸気を取り出す良質蒸気出口管とを有する圧力容器内に、外部の蒸気ボイラから導入した蒸気の熱を圧力容器内の水へ熱交換させることにより当該圧力容器内の水を蒸発させる熱交換器を設けて成る蒸気発生装置において、
上記熱交換器内で熱を奪われた蒸気により生じる凝縮水を取り出し、これをスチームトラップにより気水分離した後、当該凝縮水を上記圧力容器内へ供給するよう構成したこと、を特徴とするものである。
【０００９】
即ち、本発明は、浄水（水道水）を入れた圧力容器内に、貫流式蒸気ボイラからの蒸気を熱源とする熱交換器を設け、当該熱交換器で上記浄水を間接加熱し、プライミングやホーミングの少ない広い蒸発面から蒸発させることにより、缶水が含まれず、人間に無害で安全に吸引でき、食用に供せられても安全な良質の蒸気を発生させるよう構成すると共に、貫流式蒸気ボイラからの蒸気は熱交換器に熱を奪われ凝縮して熱水に戻るので、この熱水を上記圧力容器内へ供給し、広い蒸発面から再び蒸発する良質の蒸気として取り出すように構成したものである。凝縮水に含まれていた人体への有害物質は缶水内に残り、再度蒸発した蒸気は人体に無害な良質蒸気である。
具体的には、人体に有害な物質を含む蒸気を熱交換器によって冷却し、凝縮させて熱水とし、スチームトラップを用いて、蒸気と凝縮水とを分離し、分離した凝縮水を熱交換器の被加熱部の水側に給水し、広い蒸発面から良質の蒸気として再度蒸発させ、下流の蒸気使用装置に供給する様に構成したものである。
【００１０】
本発明の上記構成において、上記圧力容器内の水位を自動的に検出する水位検出装置と、当該水位検出装置の出力信号に基づき、上記圧力容器に設けた給水電動弁及び排水電動弁の少なくとも一方の開閉動作を制御して、圧力容器内の水位を自動調整する制御装置と、を設けることが推奨される。
【００１１】
更にまた、上記圧力容器の良質蒸気出口管から取り出した清浄な蒸気を通過させる香草収容ポットを設け、当該香草収容ポット内を通過して得られた芳香蒸気をサウナ浴室内へ放出するよう構成することも推奨される。
【発明の効果】
【００１２】
貫流式蒸気ボイラからの蒸気を利用する各種装置の内、人間が吸引し、飲食する可能性のある装置のみに本発明装置を設けて人間に無害な良質の蒸気を供給することが出来る。即ち、本発明装置の広い蒸発面から発生する蒸気は、人体に無害な良質蒸気であるからである。
本発明装置に給水される水の多くは、ボイラの蒸気が凝縮した一種の蒸留水であり、殆ど純水に近い極めて良質の水である。
勿論、清缶剤と言われる人体に有害な成分を極々微量に含んでいるが、カルシウム等の溶解物は、殆ど皆無であり、濃縮して不純物を析出させる虞れは無い。
発生する蒸気が人体には有害ではあるが安価で高効率な貫流ボイラの蒸気の大部分は、蒸気を必要とする通常の装置に供給し、貫流ボイラの残りの一部の蒸気だけを、小型で簡便な本発明の良質蒸気発生装置を用いて良質の蒸気に変換した上で、人間が吸引し、飲食する可能性がある装置にのみ供給するようにすれば、人体にも無害でイニシャルコストもランニングコストも安い蒸気設備を構築することが出来る。
【００１３】
本発明の蒸気発生装置の圧力容器内に給水する水の大部分は、ボイラからの蒸気が凝縮した水であり、極めて純水に近く、良質の蒸気を発生させるための水としては最良の水である。
前記の如く、従来、スチームサウナ用に、水道水をボイラよりの蒸気で加熱し、良質の蒸気を発生させる装置が一部に用いられていたが、水道水中のカルシウム等が析出し、伝熱面に付着し、装置が稼働不能となることがあり、更に水道水の給水にボールタップを用いているのでボールタップが故障すると言う問題があった。
これに対し本発明装置は、カルシウム等の不純物が析出する惧れが無く、従来のボールタップを用いる場合に比べ、故障も無く、保守管理が従来装置に比べて容易となる。
【００１４】
人体に無害な良質の蒸気を必要とし、本発明装置が効果を発揮する分野としては、まず各種食品の加工製造分野が挙げられる。例えば、米、麦、大豆等の穀類を蒸す工程を含む食品製造分野、即ち、菓子や餅等の製造分野や、ビール、酒の製造分野、味噌、醤油の製造分野が挙げられる。また、肉や魚肉を蒸す工程を含む分野、即ち、ソーセージや蒲鉾等の製造分野が挙げられる。食品加工においては、これら以外にも良質の蒸気を必要とする分野は多数存在し、それらの多くの分野において本発明の蒸気発生装置が極めて好適に利用できる。
更にまた、本発明の蒸気発生装置は、食品製造分野以外にも、前述のとおり、人間が直接蒸気を吸引するスチームサウナ浴装置に好適に用いることが出来る。本来、健康増進の為に推奨されるスチームサウナ浴装置の蒸気が、人体に有害であってはならず、健康に有益な香草の香り成分を加えた、本発明の良質な蒸気は、スチームサウナ浴用として最も望ましい蒸気である。
【発明を実施するための最良の形態】
【００１５】
以下、図面を参照しつゝ本発明を実施するための最良の形態について具体的に説明する。
図１は、本発明に係る蒸気発生装置の第一実施例を示すフローシート、
図２は、水位自動調節機能を有する本発明に係る蒸気発生装置の第二実施例を示すフローシート、
図３は、スチームサウナ室用の本発明に係る蒸気発生装置の第三実施例を示すフローシートである。
【実施例１】
【００１６】
以下、本発明に係る蒸気発生装置の第一実施例について、図１を参照しながら説明する。
図１は本発明の第一実施例の態様を示すフローシートで、良質蒸気発生装置１の圧力容器２の上部には、良質蒸気出口管３と、水面計４と、ボイラからの蒸気が凝縮した水を圧力容器内へ給水する凝縮水供給管５と、水道水の給水口６とが設けられる。良質蒸気発生装置１の下部には、ブロー用排水管７が設けられ、圧力容器２の下端はフランジ８により閉鎖され、当該フランジ８には、圧力容器２と同軸状に内蔵されている熱交換器９のフランジ９−１が取り外し自在に固定されている。
熱交換器９のフランジ９−１より下部には、ボイラ蒸気入口管９−２と凝縮水出口管９−３が設けられ、凝縮水出口管９−３には、スチームトラップ１０と空気抜き弁１１とが並列に設けられている。
【００１７】
まず、給水口６に連結された給水弁６−１を手動にて開き、蒸気発生装置１の圧力容器２内に水道水を給水し、水位が水面計４の４−１程度まで上昇したところで給水弁６−１を閉じ、ボイラ蒸気入口管９−２より貫流式ボイラからの蒸気を蒸気発生装置１内に設けた熱交換器９に導入する。
熱交換器９内に流入したボイラ蒸気は、熱交換器９内を矢印に示す通り、圧力容器２と熱交換器９との間の水を間接加熱しながら上昇し、温度が低下し、蒸気から水に凝縮した凝縮水は熱交換器９内を下降し、凝縮水出口管９−３からスチームトラップ１０に流入する。
スチームトラップ１０で蒸気と水が分離され、凝縮水のみが矢印に示す通り、上昇し凝縮水供給管５より圧力容器２内へ給水される。
空気抜き弁１１は、始動時、ボイラからの蒸気配管及び熱交換器内部の空気を抜く為に設けられた手動式の空気抜き弁である。
更に、必要に応じて圧力容器２内の水を抜く為、ブロー弁１２を設ける。
【００１８】
ここで、本実施例の水位の変化について、説明する。
良質蒸気出口管３より流出する蒸気よりも、流入するボイラ蒸気の方が圧力が高く単位質量当たりの熱量も高いので、配管や機器からの放熱が無い場合には、ボイラから供給される熱量よりも、良質蒸気出口管３から下流に供給される単位質量当たりの熱量が少ないので、圧力容器２に供給される水量（質量）は、下流に供給する水量（質量）より少なく、水位は低下する。
供給される蒸気の熱量の総量が、放熱等によって減少し、下流に供給する蒸気の熱量の総量より少なくなると、水位は上昇する。
放熱が少なく、ボイラからの蒸気の熱量の総量が、下流に供給する蒸気の熱量の総量と放熱による熱量との和が同じ場合は、水は増減せず、水位は変化しない。即ち、ボイラ蒸気の凝縮水の量と、下流に供給する蒸気量（質量）が同じ場合には、水位は変化しない。
【００１９】
図１で、図示は省略したが、良質蒸気発生装置１の圧力容器２の外周面、熱交換器９の下部突出部、ボイラ蒸気入口管９−２、凝縮水出口管９−３、等々、水面計４以外の要部は当然保温する。
装置の放熱が全く無いと仮定した場合、減少する水量は、流入するボイラ蒸気の質量の通常２％前後の場合が多い。
もし本発明装置と、付随する蒸気配管の放熱量が、この２％程度より多い場合は、水面計４に示される水位は初めの水位４−１より上昇する。
装置と関連蒸気配管を適度に保温し、放熱量を流入蒸気の熱量の２％程度に抑えれば、流入する凝縮水とボイラ蒸気の質量は、ほぼバランスし水位４−１は殆ど変化しない。
【００２０】
本第一実施例装置を連続して長時間使用する場合には、水が上昇しすぎて良質蒸気出口管３より熱水が噴き出したり、水位が下がりすぎて熱交換器９より低下し、熱交換の効率を低下させたりする。
しかし、比較的短時間で間欠稼働する良質蒸気使用装置、例えば米等を蒸す間欠式（バッチ式）蒸し器ならば、１回の稼働時の水位変化は水面計４の可視範囲に納まる様に水面計４の可視範囲の水量を定めればよい。
この場合は、次に蒸し器を稼働させる時にブロー弁１２を手動で開いてブローし、水位を低下させ、或いは給水弁６−１を手動で開いて給水し水位を適当な高さまで上昇させて稼働させる。
本第一実施例より発生する良質蒸気は、貫流式蒸気ボイラの蒸発面の面積より、単位蒸発量当たりの蒸発面積が格段に大きく、ゆっくり蒸発し、プライミングやホーミングも起きず、缶水を含まない良質の飽和蒸気である。
【実施例２】
【００２１】
次に、本発明の第二実施例について説明する。
図２は本第二実施例の態様を示すフローシートで、上記第一実施例に水位制御装置を設けた実施例である。
本第二実施例は、第一実施例とは異なり、長時間稼働し、人間が飲食し、吸引する良質の蒸気が望まれる各種良質蒸気利用装置で、水位が様々に変化する可能性がある場合に用いられる装置の態様を示す。
第一実施例の水面計４に対向する左側に水位検出装置１３を設け、給水弁６−１の下流側に給水電動弁１４を設け、ブロー弁１２の上流側にブロー電動弁１５を設ける。
水位検出装置１３内には、水位を検出する４本の電極棒１３- １、１３−２、１３−３、１３−４が設けられている。
この電極棒による水位検出装置１３自体は、蒸気ボイラの水位検出装置等として広く用いられている公知の装置である。
【００２２】
水位が電極棒１３−３の下端１３−３Ｌまで低下すると、アース用電極棒１３−４と電極棒１３−３との間の一部に水が無いので電流が流れず、水位が電極棒１３−３の下端より低下したこと、即ち、電極棒１３−３とアース用電極棒１３−４との間の電流が絶たれたことを検知する信号が制御装置１６に送られ、図２の点線で示すとおり自動的に給水電動弁１４に電圧がかかり、給水電動弁１４が開き、水道の圧力により水道水が圧力容器２内に供給される。
給水により水位が上昇し、電極棒１３−２の下端１３−２Ｌを越えると、アース用電極棒１３−４と電極棒１３−２の間に電流が流れ、これを知らせる信号が制御装置１６に送られ、給水電動弁１４が閉じられて給水は停止する。
水位が電極棒１３−１の下端１３−１Ｌを越えて上昇すると、アース用電極棒１３−４と電極棒１３−１の間に電流が流れ、これを知らせる信号が制御装置１６に送られ、点線で示す通り、ブロー電動弁１５に電圧が掛かり、ブロー電動弁１５が開き, 圧力容器２内の水が外部に放出される
ブローにより水位が低下し、電極棒１３−２の下端１３−２Ｌ以下に低下すると、アース用電極棒１３−４と電極棒１３−２の間の電流が断たれ、これを知らせる信号が制御装置１６に送られ、ブロー電動弁１５が閉じ排水を停止する。
【００２３】
この様に水位を一定範囲に保つ様自動制御すれば、本第二実施例装置は連続的に稼働する各種食品加工装置、例えば蒲鉾を連続的に製造する自動蒸し器、パンの製造に用いられる加湿器、人間が直接蒸気を吸引するスチームサウナ等に良質の蒸気を連続的に供給することが出来る。
【実施例３】
【００２４】
次に、本発明の第三実施例について、図３を参照しながら説明する。
図３は、スチームサウナ用熱源として、スチームサウナ室内に設ける本発明に係る良質蒸気発生装置１の態様を示すフローシートである。
この装置の特徴は、高湿度のスチームサウナ室に設ける為、絶縁不良を起こすので電気的な装置や器具は不向きであることと、スチームサウナ室内に設ける装置であるので、装置からの放熱は、サウナ室内の加熱に有効に用いられ、断熱保温の必要が無いと言うことの二点である。
【００２５】
始動時、水面計４の水位を目視しながら、給水弁６−１を開いて給水口６より給水を行い、水位が適当な位置、即ち水面計４の４−１程度まで上昇したら給水を停止し、熱交換器９に、ボイラ蒸気をボイラ蒸気入口管９−２より供給する。
流入したボイラ蒸気は、熱交換器９を介して、圧力容器２内の水に熱を伝達し、蒸気は水に凝縮し、スチームトラップ１０により気水分離され、凝縮水のみが凝縮水供給管５を通じて圧力容器２内に給水される。
始動時は、圧力容器２内の水の温度が低い為、下流側（蒸気使用装置側）に蒸気が流れず、給水されるのみであり水位は上昇し続け、４−２まで水位が上昇すると、図３に点線で示すとおり、香草（ハーブ）収容ポット１７にオーバーフローし、点線矢印に示すとおりスチームサウナ室内に排出される。
圧力容器２内の水の温度が上昇し、良質蒸気が発生すると、図３に実線矢印で示すとおり香草収容ポット１７内の香草の香り成分が加わり、良質の芳香蒸気としてスチームサウナ室に供給される。
スチームサウナ室の温度が適温（通常４５℃程度）まで上昇すると、蒸気電動弁（図示省略) を閉じて、ボイラ蒸気入口管９−２より流入するボイラ蒸気の供給を止める。
この時、凝縮水の供給は停止するが、圧力容器２内の水は、温度が高く熱水状態なので自己蒸発が行われ、暫くは良質の芳香蒸気がスチームサウナ室に供給され続ける。
この時、凝縮水は供給されないまま自己蒸発が行われるので圧力容器２内の水位は低下する。
【００２６】
上記の如く、蒸気発生装置１の圧力容器２内の水位は常に変動する。
ここで、本装置を運転する場合の蒸気発生装置１内の水の収支に付いて考察する。
まず熱の収支について考えると、良質蒸気発生装置１に供給される熱は、ボイラ蒸気の供給量に、ボイラ蒸気の持つ熱量を乗じたものであり、良質蒸気発生装置１より出る熱は、スチームサウナ室に供給される良質蒸気の量に、良質蒸気の持つ熱量を乗じたものと、良質蒸気発生装置１より放熱される熱量と、良質蒸気発生装置１よりオーバーフローする水と、良質蒸気発生装置１内で増加した水との持つ熱量の和である。
本第三実施例装置は、保温しないので放熱量が多く、供給されるボイラ蒸気が特に高圧であったり、高温の過熱蒸気の場合以外は、放熱が多いので、供給される蒸気量より下流に供給する良質蒸気量の方が少く、蒸気発生装置１の圧力容器２内の水量は増加し、この増加した水がオーバーフローする。
一方、前述のとおり一時的に水位が減少することがあるが、トータルすると供給する凝縮水の量が、下流に供給される良質蒸気量より多いので、水位は上昇し、しばしばオーバーフローすることとなる。
【００２７】
スチームサウナを稼働する場合、一般に時々人為的に水位を調節する程度で稼働することが可能である。
但し、営業時間が長く、人為的に水位を調節することが困難な場合や、高圧の蒸気や過熱蒸気が供給される場合には、凝縮水の量が良質蒸気の量より少なくなり水位が極端に低下することがある。
この様な場合には、給水口６の上流側に、ボールタップを設け、或いはボールタップを内蔵した小型の水タンクを設け、水位が極度に低下することを防止することも可能である。
その場合、ボールタップが故障すると言う課題が残るが、従来装置では、良質蒸気を発生させるための水を総てボールタップから供給していたのに対し、本発明装置では大部分の水はスチームトラップからの凝縮水でまかない、極く小量の水のみをボールタップから供給すれば足りるので、ボールタップが故障する確率は低く、ボールタップが故障すると言う問題も大幅に改善出来る。
【００２８】
更にまた、水道水をボイラ蒸気で加熱して良質蒸気を発生させる従来の装置では、カルシウム等の不純物が析出し、装置が故障すると言う問題もあったが、本発明装置に給水される凝縮水は殆ど純水とも言える最良の水であるため、この様な故障の惧れは無く、この問題も解決できる。
【産業上の利用可能性】
【００２９】
本発明は、上記の如く、従来のボイラや蒸気発生装置では達成することのできなかった多くの優れた作用効果を達成し得るものであるから、産業上多大の利用可能性を有するものである。
【図面の簡単な説明】
【００３０】
【図１】本発明に係る蒸気発生装置の第一実施例を示すフローシートである。
【図２】水位自動調節機能を有する本発明に係る蒸気発生装置の第二実施例を示すフローシートである。
【図３】スチームサウナ室用の本発明に係る蒸気発生装置の第三実施例を示すフローシートである。
【符号の説明】
【００３１】
１      蒸気発生装置
２      圧力容器
３      良質蒸気出口管
４      水面計
４−１  水位
５      凝縮水供給管
６      給水口
６−１  給水弁
７      ブロー用排水管
８      圧力容器フランジ
９      熱交換器
９−１  熱交換器フランジ
９−２  ボイラ蒸気入口管
９−３  凝縮水出口管
１０    スチームトラップ
１１    空気抜き弁
１２    ブロー弁
１３    水位検出装置
１４    給水電動弁
１５    ブロー電動弁
１６    制御装置
１７    香草収容ポット
【図１】
2007046818.tif 000003
【図２】
2007046818.tif 000004
【図３】
2007046818.tif 000005